(57)【要約】【課題】室内熱交換器（22）と冷蔵熱交換器（32，42）とを備え、暖房、冷房、冷蔵の組み合わせを切り換えて運転できる冷凍装置（1）において、運転の切り換え時に室内へ意図せずに温風が吹き出されることで快適性が損なわれるのを抑制する。【解決手段】室外熱交換器が圧縮機（13）の吐出側に接続される状態と吸入側に接続される状態とを切り換える第１切換弁（17）と、室内熱交換器が圧縮機（13）の吐出側に接続される状態と吸入側に接続される状態とを切り換える第２切換弁（18）を、互いに独立して切り換わるように構成する。【選択図】図１
2018173197.tif 000002
【特許請求の範囲】
【請求項１】
圧縮機（13）と熱源側熱交換器（12）と膨張機構（14，23，33，34）と室内を空調する空調側熱交換器（22）と冷却庫（30，40）の庫内を冷却する冷却側熱交換器（32，42）が接続されて、上記室内を空調するための空調系統回路（2a）と上記冷却庫（30，40）の庫内を冷却するための冷却系統回路（2b）とが形成された冷媒回路（2）を備え、
上記冷媒回路（2）は、上記熱源側熱交換器（12）が凝縮器または蒸発器として機能する状態と停止する状態の切り換えと、上記空調側熱交換器（22）が凝縮器または蒸発器として機能する状態と停止する状態の切り換えと、上記冷却側熱交換器（32，42）が蒸発器として機能する状態と停止する状態の切り換えと、を行う切り換え機構（17，18，19）を備えた冷凍装置であって、
上記切り換え機構（17，18，19）は、上記熱源側熱交換器（12）が上記圧縮機（13）の吐出側に接続される状態と吸入側に接続される状態とを切り換える第１切換弁（17）と、上記空調側熱交換器（22）が上記圧縮機（13）の吐出側に接続される状態と吸入側に接続される状態とを切り換える第２切換弁（18）とを備え、該第１切換弁（17）と第２切換弁（18）とはそれぞれの接続状態を互いに独立して切り換え可能であり、
上記切り換え機構（17，18，19）を制御する制御器（100）を備えていることを特徴とする冷凍装置。
【請求項２】
請求項１において、
上記第１切換弁（17）は、上記圧縮機（13）の吐出配管から分岐した第１吐出分岐管が接続される吐出側接続ポート（P1）と、上記圧縮機（13）の吸入配管から分岐した第１吸入分岐管が接続される吸入側接続ポート（P2）と、上記熱源側熱交換器（12）に冷媒配管を介して接続される熱交換器接続ポート（P3）とを有し、
上記第２切換弁（18）は、上記圧縮機（13）の吐出配管から分岐した第２吐出分岐管が接続される吐出側接続ポート（P1）と、上記圧縮機（13）の吸入配管から分岐した第２吸入分岐管が接続される吸入側接続ポート（P2）と、上記空調側熱交換器（22）に冷媒配管を介して接続される熱交換器接続ポート（P3）とを有していることを特徴とする冷凍装置。
【請求項３】
請求項１または２において、
上記切り換え機構（17，18，19）は、上記冷却側熱交換器（32，42）が蒸発器として機能する状態と停止する状態との切り換えに加えて、上記冷却側熱交換器（32，42）が凝縮器として機能する状態に切換可能に構成された機構であって、上記冷却側熱交換器（32，42）が上記圧縮機（13）の吐出側に接続される状態と吸入側に接続される状態とに切り換える第３切換弁（19）を備え、
上記制御器（100）は、上記第３切換弁（19）を上記冷却側熱交換器（32，42）が上記圧縮機（13）の吐出側に接続される状態に切り換えて、上記冷却側熱交換器（32，42）を凝縮器とするデフロスト運転を行うことが可能に構成されていることを特徴とする冷凍装置。
【請求項４】
請求項３において、
上記第３切換弁（19）は、上記圧縮機（13）の吐出配管から分岐した第３吐出分岐管が接続される吐出側接続ポート（P1）と、上記圧縮機（13）の吸入配管から分岐した第３吸入分岐管が接続される吸入側接続ポート（P2）と、上記冷却側熱交換器（32，42）に冷媒配管を介して接続される熱交換器接続ポート（P3）とを有していることを特徴とする冷凍装置。
【請求項５】
請求項３または４において、
上記制御器（100）は、上記空調系統回路（2a）が冷房運転を行っている状態で上記冷却系統回路（2b）のデフロスト運転を行うときには、空調負荷が所定値よりも小さいと、上記第１切換弁（17）を上記熱源側熱交換器（12）が上記圧縮機（13）の吸入側に接続される状態に切り換えて該熱源側熱交換器（12）を蒸発器にして、デフロスト運転を実行するように構成されていることを特徴とする冷凍装置。
【請求項６】
請求項３または４において、
上記制御器（100）は、上記空調系統回路（2a）が冷房運転を行っている状態で上記冷却系統回路（2b）のデフロスト運転を行うときには、空調負荷の大きさを判断する前に、上記第１切換弁（17）を上記熱源側熱交換器（12）が上記圧縮機（13）の吸入側に接続される状態に切り換えて該熱源側熱交換器（12）を蒸発器にして、デフロスト運転を実行するように構成されていることを特徴とする冷凍装置。
【請求項７】
請求項３または４において、
上記制御器（100）は、上記熱源側熱交換器（12）が凝縮器になって上記空調系統回路（2a）が暖房運転を行っている状態で上記冷却系統回路（2b）のデフロスト運転を行うときには、上記第１切換弁（17）を上記熱源側熱交換器（12）が上記圧縮機（13）の吸入側に接続される状態に切り換えて該熱源側熱交換器（12）を蒸発器にして、デフロスト運転を実行するように構成されていることを特徴とする冷凍装置。
【請求項８】
請求項３または４において、
上記制御器（100）は、上記熱源側熱交換器（12）が蒸発器になって上記空調系統回路（2a）が暖房運転を行っている状態で上記冷却系統回路（2b）のデフロスト運転を行うときには、上記第１切換弁（17）を上記熱源側熱交換器（12）が上記圧縮機（13）の吸入側に接続される状態に保って該熱源側熱交換器（12）を蒸発器にしたままで、デフロスト運転を実行するように構成されていることを特徴とする冷凍装置。
【発明の詳細な説明】
【技術分野】
【０００１】
本発明は、冷凍装置に関し、特に、室内を空調する空調側熱交換器と冷蔵庫や冷凍庫のような冷却庫の庫内を冷却する冷却側熱交換器とを備えた冷凍装置に関するものである。
【背景技術】
【０００２】
従来、複数の利用側熱交換器が互いに並列に接続された冷媒回路を備えた冷凍装置が知られている。例えば、特許文献１には、利用側熱交換器として、室内の空気調和を行う空調側熱交換器と、冷蔵庫や冷凍庫等の冷却庫の庫内の空気を冷却する冷却側熱交換器とが並列に接続された冷媒回路を備え、室内の空調と庫内の冷却との両方を行う冷凍装置が開示されている。
【０００３】
この冷凍装置では、上記冷媒回路において、上記熱源側熱交換器が凝縮器または蒸発器として機能する状態と停止する状態の切り換えと、上記空調側熱交換器が凝縮器または蒸発器として機能する状態と停止する状態の切り換えと、上記冷却側熱交換器が蒸発器として機能する状態と停止する状態の切り換えとを行う切り換え機構として、２つの切換弁（四路切換弁）が設けられている。
【０００４】
上記冷媒回路は、空調側熱交換器を含む空調系統回路と冷却側熱交換器を含む冷却系統回路とを有している。冷媒回路には、空調側熱交換器が接続される空調系統路の圧縮機と冷却側熱交換器が接続される冷却却系統回路の圧縮機とが設けられている。上記空調系統回路の圧縮機と冷却系統回の圧縮機は、吐出側が合流して上記切り換え機構に接続され、吸入側が冷却系統と空調系統の各系統に接続されている。
【０００５】
そして、上記冷凍装置は、上記切り換え機構を操作することにより、各熱交換器が蒸発器と凝縮器になる状態を適宜切り換えて運転することができる。具体的には、冷却側熱交換器で吸収した熱量を空調側熱交換器の暖房に利用する熱回収運転や、熱源側熱交換器が凝縮器として機能し且つ空調側熱交換器及び冷却側熱交換器が蒸発器として機能するように冷媒が循環する冷房冷却運転や、空調側熱交換器が凝縮器として機能し且つ熱源側熱交換器及び冷却側熱交換器が蒸発器として機能するように冷媒が循環する暖房冷却運転を切り換えて行うことができる。
【先行技術文献】
【特許文献】
【０００６】
【特許文献１】特開２０１３−０６８３４４号公報
【発明の概要】
【発明が解決しようとする課題】
【０００７】
ところで、特許文献１の冷凍装置では、上記の各種の運転を切り換える場合に、空調側熱交換器から室内へ意図せずに温風が吹き出されてしまい、室内の快適性を損なうことがあった。例えば、暖房のサーモオフ（休止運転）から冷房運転に切り換える場合に、切り換え機構である四路切換弁を切り換える順序が制限されることや、室外熱交換器を蒸発器とする暖房運転の状態で空調がサーモオフになる場合に、冷媒回路の熱的なバランスをとることが必要になることが原因で、空調側熱交換器が凝縮器にならざるを得ない状態が生じてしまうためである。
【０００８】
本発明は、このような問題点に鑑みてなされたものであり、その目的は、空調側熱交換器と冷却側熱交換器を備えた空気調和装置において、運転の切り換え時に意図せずに室内へ温風が吹き出されるのを抑制することである。
【課題を解決するための手段】
【０００９】
第１の発明は、圧縮機（13）と熱源側熱交換器（12）と膨張機構（14，23，33，34）と室内を空調する空調側熱交換器（22）と冷却庫（30，40）の庫内を冷却する冷却側熱交換器（32，42）が接続されて、上記室内を空調するための空調系統回路（2a）と上記冷却庫（30，40）の庫内を冷却するための冷却系統回路（2b）とが形成された冷媒回路（2）を備え、上記冷媒回路（2）が、上記熱源側熱交換器（12）が凝縮器または蒸発器として機能する状態と停止する状態の切り換えと、上記空調側熱交換器（22）が凝縮器または蒸発器として機能する状態と停止する状態の切り換えと、上記冷却側熱交換器（32，42）が蒸発器として機能する状態と停止する状態の切り換えと、を行う切り換え機構（17，18，19）を備えた冷凍装置を前提とする。
【００１０】
そして、この冷凍装置は、上記切り換え機構（17，18，19）が、上記熱源側熱交換器（12）が上記圧縮機（13）の吐出側に接続される状態と吸入側に接続される状態とを切り換える第１切換弁（17）と、上記空調側熱交換器（22）が上記圧縮機（13）の吐出側に接続される状態と吸入側に接続される状態とを切り換える第２切換弁（18）とを備え、該第１切換弁（17）と第２切換弁（18）はそれぞれの接続状態を互いに独立して切換可能であり、上記切り換え機構（17，18，19）を制御する制御器（100）を備えていることを特徴とする。
【００１１】
第２の発明は、第１の発明において、上記第１切換弁（17）が、上記圧縮機（13）の吐出配管から分岐した第１吐出分岐管が接続される吐出側接続ポート（P1）と、上記圧縮機（13）の吸入配管から分岐した第１吸入分岐管が接続される吸入側接続ポート（P2）と、上記熱源側熱交換器（12）に冷媒配管を介して接続される熱交換器接続ポート（P3）とを有し、上記第２切換弁（18）が、上記圧縮機（13）の吐出配管から分岐した第２吐出分岐管が接続される吐出側接続ポート（P1）と、上記圧縮機（13）の吸入配管から分岐した第２吸入分岐管が接続される吸入側接続ポート（P2）と、上記空調側熱交換器（22）に冷媒配管を介して接続される熱交換器接続ポート（P3）とを有していることを特徴とする。
【００１２】
上記第１，第２の発明では、上記切り換え機構（17，18，19）を用いて、上記熱源側熱交換器（12）が凝縮器または蒸発器として機能する状態と停止する状態の切り換えと、上記空調側熱交換器（22）が凝縮器または蒸発器として機能する状態と停止する状態の切り換えと、上記冷却側熱交換器（32，42）が蒸発器として機能する状態と停止する状態の切り換えとを行うことにより、室内を冷房しながら庫内を冷却する運転や、室内を暖房しながら庫内を冷却する運転が行われる。そして、これらの運転の切り換えは、上記切り換え機構（17，18，19）を構成する第１切換弁（17）と第２切換弁（18）の接続状態を、互いに独立して切り換えることで行われる。
【００１３】
第３の発明は、第１または第２の発明において、上記切り換え機構（17，18，19）が、上記冷却側熱交換器（32，42）が蒸発器として機能する状態と停止する状態との切り換えに加えて、上記冷却側熱交換器（32，42）が凝縮器として機能する状態に切換可能に構成された機構であって、上記冷却側熱交換器（32，42）が上記圧縮機（13）の吐出側に接続される状態と吸入側に接続される状態とに切り換える第３切換弁（19）を備え、上記制御器（100）は、上記第３切換弁（19）を上記冷却側熱交換器（32，42）が上記圧縮機（13）の吐出側に接続される状態に切り換えて、上記冷却側熱交換器（32，42）を凝縮器とするデフロスト運転を行うことが可能に構成されていることを特徴とする。
【００１４】
第４の発明は、第３の発明において、上記第３切換弁（19）は、上記圧縮機（13）の吐出配管から分岐した第３吐出分岐管が接続される吐出側接続ポート（P1）と、上記圧縮機（13）の吸入配管から分岐した第３吸入分岐管が接続される吸入側接続ポート（P2）と、上記冷却側熱交換器（32，42）に冷媒配管を介して接続される熱交換器接続ポート（P3）とを有していることを特徴とする。
【００１５】
上記第３，第４の発明では、上記切り換え機構（17，18，19）を用いて、上記冷却側熱交換器（32，42）が蒸発器として機能する状態と停止する状態との切り換えに加えて、上記冷却側熱交換器（32，42）が凝縮器として機能する状態に切り換えることにより、上記冷却側熱交換器（32，42）を凝縮器とする逆サイクルのデフロスト運転を行うことが可能になる。
【００１６】
第５の発明は、第３または第４の発明において、上記制御器（100）は、上記空調系統回路（2a）が冷房運転を行っている状態で上記冷却系統回路（2b）のデフロスト運転を行うときには、空調負荷が所定値よりも小さいと、上記第１切換弁（17）を上記熱源側熱交換器（12）が上記圧縮機（13）の吸入側に接続される状態に切り換えて該熱源側熱交換器（12）を蒸発器にして、デフロスト運転を実行するように構成されていることを特徴とする。
【００１７】
この第５の発明では、冷房運転時の空調負荷が所定値よりも小さいときは熱源側熱交換器（12）が凝縮器になっており、そのままでは冷却側熱交換器（32，42）を凝縮器にする逆サイクルデフロストを行うと、空調側熱交換器（22）の冷却能力と、熱源側熱交換器（12）及び冷却側熱交換器（32，42）の加熱能力とがバランスしなくなるため、第１切換弁（17）を切り換えることにより熱源側熱交換器（12）を蒸発器にして冷却側熱交換器（32，42）のデフロストが行われる。
【００１８】
第６の発明は、第３または第４の発明において、上記制御器（100）は、上記空調系統回路（2a）が冷房運転を行っている状態で上記冷却系統回路（2b）のデフロスト運転を行うときには、空調負荷の大きさを判断する前に、上記第１切換弁（17）を上記熱源側熱交換器（12）が上記圧縮機（13）の吸入側に接続される状態に切り換えて該熱源側熱交換器（12）を蒸発器にして、デフロスト運転を実行するように構成されていることを特徴とする。
【００１９】
この第６の発明では、冷房運転時に冷却系統回路（2b）のデフロスト運転を行うときは、空調負荷の大きさを判断せずに、第１切換弁（17）を切り換えることにより熱源側熱交換器（12）を蒸発器にして冷却側熱交換器（32，42）のデフロストが行われる。
【００２０】
第７の発明は、第３または第４の発明において、上記制御器（100）は、上記熱源側熱交換器（12）が凝縮器になって上記空調系統回路（2a）が暖房運転を行っている状態で上記冷却系統回路（2b）のデフロスト運転を行うときには、上記第１切換弁（17）を上記熱源側熱交換器（12）が上記圧縮機（13）の吸入側に接続される状態に切り換えて該熱源側熱交換器（12）を蒸発器にして、デフロスト運転を実行するように構成されていることを特徴とする。
【００２１】
この第７の発明では、熱源側熱交換器（12）が凝縮器となる暖房運転時に冷却系統回路（2b）のデフロスト運転を行うときは、第１切換弁（17）を切り換えることにより熱源側熱交換器（12）を蒸発器にしてから冷却側熱交換器（32，42）のデフロストが行われる。
【００２２】
第８の発明は、第３または第４の発明において、上記制御器（100）は、上記熱源側熱交換器（12）が蒸発器になって上記空調系統回路（2a）が暖房運転を行っている状態で上記冷却系統回路（2b）のデフロスト運転を行うときには、上記第１切換弁（17）を上記熱源側熱交換器（12）が上記圧縮機（13）の吸入側に接続される状態に保って該熱源側熱交換器（12）を蒸発器にしたままで、デフロスト運転を実行するように構成されていることを特徴とする。
【００２３】
この第８の発明では、熱源側熱交換器（12）が蒸発器となる暖房運転時に冷却系統回路（2b）のデフロスト運転を行うときは、第１切換弁（17）の状態を保って熱源側熱交換器（12）を蒸発器にしたままで冷却側熱交換器（32，42）のデフロストが行われる。
【発明の効果】
【００２４】
上記第１，第２の発明によれば、第１切換弁（17）と第２切換弁（18）を互いに独立して切り換え可能にしたことにより、空調側熱交換器（22）が凝縮器になる状態にしなくても運転を任意に切り換えることができ、それによって、切り換え時に室内への温風の吹き出しが生じさせず、室内の快適性が損なわれるのを抑制できる。
【００２５】
例えば特許文献１に記載されているような従来の冷凍装置では、暖房のサーモオフ（休止運転）から冷房に切り換える際に、上記四路切換弁（切換弁）のうち、空調側圧縮機（13）の吸入に近い側の四路切換弁を先に切り換えないと、遠い側の四路切換弁に差圧が付かなくなって切り換え動作に支障を来すため、四路切換弁の切り換え順序を守る（先に圧縮機の吸入に近い側を切り換える）必要があり、そのために空調側熱交換器（22）が凝縮器になる状態が生じて室内へ温風が吹き出されることになっていたが、本発明によれば、四路切換弁（18，19）の切り換え順序は任意である。したがって、切り換え時に空調側熱交換器（22）が凝縮器になる状態が生じさせずに、室内へ意図せずに温風が吹き出されるのを抑制できる。
【００２６】
また、例えば、室外熱交換器（熱源側熱交換器）を蒸発器とする暖房運転の状態で空調サーモオフになるときには、従来の冷凍装置では冷媒回路の熱的なバランスをとるために室内熱交換器（空調側熱交換器）が凝縮器として機能する状態になる必要があり、そのために室内の快適性が損なわれることになっていたが、本発明によれば、各四路切換弁（18，19）の切り換えを互いに独立して行えるので、切り換え時に空調側熱交換器（22）が凝縮器になる状態を生じさせずに、室内へ意図せずに温風が吹き出されるのを抑制できる。
【００２７】
また、第２の発明によれば、上記第１切換弁（17）及び上記第２切換弁（18）の両方に、吐出側接続ポート（P1）と吸入側接続ポート（P2）と熱交換器接続ポート（P3）とを有するものを用いて、上記切り換え機構（17，18，19）を容易に実現できる。
【００２８】
上記第３，第４の発明によれば、上記切り換え機構（17，18，19）を用いて冷却側熱交換器（32，42）の逆サイクルデフロストを行うことが可能になる。従来の空調系統回路（2a）と冷却系統回路（2b）を有する冷凍装置では、冷却側熱交換器（32，42）のデフロストはヒータによるデフロストかオフサイクルデフロスト（冷媒を流さないデフロスト）を行っていたが、本発明によれば、ヒータを用いなくてよいので装置構成を簡素化でき、また、オフサイクルデフロストでなく逆サイクルデフロストを行うことでデフロスト時間を短縮できる。
【００２９】
上記第５の発明によれば、空調系統回路（2a）が冷房運転を行っている状態で空調負荷が所定値よりも小さいときに、熱源側熱交換器（12）を蒸発器にすることにより、冷却系統回路（2b）の逆サイクルのデフロスト運転を容易に行うことができる。
【００３０】
上記第６の発明によれば、空調系統回路（2a）が冷房運転を行っている状態では、空調負荷の大きさにかかわらず、熱源側熱交換器（12）を蒸発器にすることにより、冷却系統回路（2b）の逆サイクルのデフロスト運転を容易に行うことができる。
【００３１】
上記第７の発明によれば、熱源側熱交換器（12）が凝縮器になって空調系統回路（2a）が暖房運転を行っている状態では、熱源側熱交換器（12）を蒸発器に切り換えることにより、冷却系統回路（2b）の逆サイクルのデフロスト運転を容易に行うことができる。
【００３２】
上記第８の発明によれば、熱源側熱交換器（12）が蒸発器になって空調系統回路（2a）が暖房運転を行っている状態では、熱源側熱交換器（12）を蒸発器に維持することにより、冷却系統回路（2b）の逆サイクルのデフロスト運転を容易に行うことができる。
【図面の簡単な説明】
【００３３】
【図１】図１は、本発明の実施形態に係る冷凍装置の冷媒回路の構成を示す配管系統図である。
【図２】図２は、図１の配管系統図において冷房冷却運転時の冷媒の流れを示す動作状態図である。
【図３】図３は、図１の配管系統図において第１暖房冷却運転時の冷媒の流れを示す動作状態図である。
【図４】図４は、図１の配管系統図において第２暖房冷却運転時の冷媒の流れを示す動作状態図である。
【図５】図５は、図１の配管系統図において第３暖房冷却運転時の冷媒の流れを示す動作状態図である。
【図６】図６は、冷房冷却運転時に冷蔵熱交換器をデフロストする第１の動作の冷媒の流れを示す動作状態図である。
【図７】図７は、冷房冷却運転時に冷蔵熱交換器をデフロストする第２の動作の冷媒の流れを示す動作状態図である。
【図８】図８は、第２，第３暖房冷却運転時に冷蔵熱交換器をデフロストする動作の冷媒の流れを示す動作状態図である。
【図９】図９は、運転切り換えの第１の動作を示すフローチャートである。
【図１０】図１０は、運転切り換えの第２の動作を示すフローチャートである。
【図１１】図１１は、運転切り換えの第３の動作を示すフローチャートである。
【図１２】図１２は、冷房冷却運転時の第１のデフロスト動作を示すフローチャートである。
【図１３】図１３は、冷房冷却運転時の第２のデフロスト動作を示すフローチャートである。
【図１４】図１４は、第２暖房冷却運転時のデフロスト動作を示すフローチャートである。
【図１５】図１５は、第３暖房冷却運転時のデフロスト動作を示すフローチャートである。
【発明を実施するための形態】
【００３４】
以下、本発明の実施形態を図面に基づいて詳細に説明する。この実施形態の冷凍装置は、例えばスーパーマーケットやコンビニエンスストア等の商店に設置されて店内の空気調和と商品を冷蔵／冷凍する冷却庫の冷却とを行うものである。
【００３５】
−冷凍装置の概略の回路構成−
図１に示すように、本実施形態に係る冷凍装置（1）は、圧縮機（13）と熱源側熱交換器（室外熱交換器）（12）と膨張機構（14，23，33，43）と室内を空調するための空調側熱交換器（室内熱交換器）（22）と冷却庫（冷蔵ユニット（30，40））の庫内を冷却するための冷却側熱交換器（冷蔵熱交換器）（32，42）が接続された冷媒回路（2）を備えている。この冷媒回路（2）には、上記室内を空調するための空調系統回路（2a）と上記冷却庫の庫内を冷却するための冷却系統回路（2b）とが形成されている。
【００３６】
また、上記冷媒回路（2）は、上記室外熱交換器（12）が凝縮器または蒸発器として機能する状態と停止する状態の切り換えと、上記室内熱交換器（22）が凝縮器または蒸発器として機能する状態と停止する状態の切り換えと、上記冷蔵熱交換器（32，42）が蒸発器として機能する状態と停止する状態の切り換えを行う切り換え機構（17，18，19）を備えている。
【００３７】
上記切り換え機構（17，18，19）は、上記室外熱交換器（12）が上記圧縮機（13）の吐出側に接続される状態と吸入側に接続される状態とを切り換える第１切換弁（17）と、上記室内熱交換器（22）が上記圧縮機（13）の吐出側に接続される状態と吸入側に接続される状態とを切り換える第２切換弁（18）とを備えている。上記第１切換弁（17）と第２切換弁（18）は、それぞれの接続状態を互いに独立して切り換え可能に構成されている。
【００３８】
また、上記切り換え機構（17，18，19）は、上記冷蔵熱交換器（32，42）が蒸発器として機能する状態と停止する状態との切り換えに加えて、上記冷蔵熱交換器（32，42）が凝縮器として機能する状態にも切り換え可能に構成されており、具体的には、上記冷蔵熱交換器（32，42）が上記圧縮機（13）の吐出側に接続される状態と吸入側に接続される状態とを切り換える第３切換弁（19）を備えている。
【００３９】
上記第１切換弁（第１四路切換弁）（17）は、上記圧縮機（13）の吐出配管（56）から分岐した第１吐出分岐管（56d）が接続される第１ポート（吐出側接続ポート）（P1）と、上記圧縮機（13）の吸入配管（55）から分岐した第２流入分岐管（55b）の第１分岐管（55b1）が接続される第２ポート（吸入側接続ポート）（P2）と、上記室外熱交換器（12）に冷媒配管（室外ガス管）（58）を介して接続される第３ポート（熱交換器接続ポート）（P3）とを有している。
【００４０】
上記第２切換弁（第２四路切換弁）（18）は、上記圧縮機（13）の吐出配管（56）から分岐した第２吐出分岐管（56e）が接続される第１ポート（吐出側接続ポート）（P1）と、上記圧縮機（13）の吸入配管（55）から分岐した第２流入分岐管（55b）の第２分岐管(55b2)が接続される第２ポート（吸入側接続ポート）（P2）と、上記室内熱交換器（22）に冷媒配管（51，62）を介して接続される第３ポート（熱交換器接続ポート）（P3）とを有している。
【００４１】
上記第３切換弁（第３四路切換弁）（19）は、上記圧縮機（13）の吐出配管（56）から分岐した第３吐出分岐管（56f）が接続される第１ポート（吐出側接続ポート）（P1）と、上記圧縮機（13）の吸入配管（55）から分岐した第１流入分岐管（55a）が接続される第２ポート（吸入側接続ポート）（P2）と、上記冷蔵熱交換器（32，42）に冷媒配管（53）を介して接続される第３ポート（熱交換器接続ポート）（P3）とを有している。
【００４２】
そして、本実施形態に係る冷凍装置（１）は、上記切り換え機構（17，18，19）を制御するコントローラ（制御器）（100）を備えている。上記コントローラ（100）は、冷蔵熱交換器（32，42）を蒸発器にした状態で室内熱交換器（22）と室外熱交換器（12）を蒸発器または凝縮器に切り換えて室内の空調と庫内の冷却を行う動作を制御するように構成されており、さらに、上記第３切換弁（19）を上記冷蔵熱交換器（32，42）が上記圧縮機（13）の吐出側に接続される状態にすることで、上記冷蔵熱交換器（32，42）を凝縮器とするデフロスト運転を行えるように構成されている。
【００４３】
−冷凍装置の具体的な回路構成−
図１に示すように、冷凍装置（1）は、室外ユニット（10）と、室内ユニット（20）と、第１冷蔵ユニット（30）と、第２冷蔵ユニット（40）と、コントローラ（100）とを備えている。室外ユニット（10）には、室外熱交換器（12）を有する熱源側回路としての室外回路（11）が設けられている。室内ユニット（20）には、室内熱交換器（22）を有する室内回路（利用側回路）（21）が設けられている。第１冷蔵ユニット（30）には、第１冷蔵熱交換器（32）を有する第１冷蔵用回路（利用側回路）（31）が設けられている。第２冷蔵ユニット（40）には、第２冷蔵熱交換器（42）を有する第２冷蔵用回路（利用側回路）（41）が設けられている。室外回路（11）に対して複数の利用側回路（21，31，41）が互いに並列に接続されることで蒸気圧縮式の冷凍サイクルを行う冷媒回路（2）が構成されている。
【００４４】
上記室外回路（11）と各利用側回路（21，31，41）は、第１ガス側連絡配管（51）、第１液側連絡配管（52）、第２ガス側連絡配管（53）及び第２液側連絡配管（54）によって互いに接続されている。具体的には、第１ガス側連絡配管（51）は、一端が室内回路（21）のガス側端に接続され、他端が室外回路（11）の第１ガス側閉鎖弁（71）に接続されている。第１液側連絡配管（52）は、一端が室内回路（21）の液側端に接続され、他端が室外回路（11）の液側閉鎖弁（72）に接続されている。第２ガス側連絡配管（53）は、一端側が第１分岐ガス管（53a）と第２分岐ガス管（53b）とに分岐し、他端が室外回路（11）の第２ガス側閉鎖弁（73）に接続されている。第１分岐ガス管（53a）の先端は、第１冷蔵用回路（31）のガス側端に接続され、第２分岐ガス管（53b）の先端は、第２冷蔵用回路（41）のガス側端に接続されている。第２液側連絡配管（54）は、一端側が第１分岐液管（54a）と第２分岐液管（54b）とに分岐し、他端が第１液側連絡配管（52）と合流して室外回路（11）の液側閉鎖弁（72）に接続されている。第１分岐液管（54a）の先端は、第１冷蔵用回路（31）の液側端に接続され、第２分岐液管（54b）の先端は、第２冷蔵用回路（41）の液側端に接続されている。
【００４５】
〈室外ユニット〉
室外ユニット（10）は、屋外に設置され、上記室外回路（11）と、該室外回路（11）を収容する室外ケーシング（10a）とを有している。室外回路（11）は、上記室外熱交換器（12）と、圧縮機構（13）と、室外膨張弁（膨張機構）（14）と、レシーバ（15）と、油分離器（16）と、第１，第２及び第３四路切換弁（切り換え機構）（17，18，19）と、３つの閉鎖弁（71，72，73）とを備えている。
【００４６】
上記圧縮機構（13）は、第１〜第３圧縮機（13a，13b，13c）を有している。第１〜第３圧縮機（13a，13b，13c）は、いずれも固定スクロール及び可動スクロールが噛み合って形成される圧縮室を有する全密閉型のスクロール圧縮機である。第１〜第３圧縮機（13a，13b，13c）では、各圧縮室の吸入位置において吸入ポート（図示省略）が開口し、吐出位置において吐出ポート（図示省略）が開口し、中間位置において中間ポート（図示省略）が開口している。
【００４７】
上記第１圧縮機（冷却側圧縮機）（13a）及び第３圧縮機（空調側圧縮機）（13c）は、可変容量型の圧縮機である。つまり、第１圧縮機（13a）及び第３圧縮機（13c）は、インバータ制御によって回転速度が可変に構成されている。一方、第２圧縮機（13b）は、回転速度が一定の固定容量型の圧縮機であり、主に第１圧縮機（13a）の補助に用いられるが、第３圧縮機（13c）の補助に用いることもできる。なお、第２圧縮機（13b）は、可変容量型の圧縮機であってもよい。また、上記第１〜第３圧縮機（13a，13b，13c）には、吸入側に吸入配管（55）が接続される一方、吐出側に吐出配管（56）が接続されている。
【００４８】
上記吸入配管（55）は、流入側が第１流入分岐管（55a）と第２流入分岐管（55b）とに分岐している。第１流入分岐管（55a）は上記第２ガス側閉鎖弁（73）に第３四路切換弁（19）を介して接続される一方、第２流入分岐管（55b）は第１四路切換弁（17）及び第２四路切換弁（18）の第２ポート（P2）に接続されている。第１流入分岐管（55a）と第２流入分岐管（55b）は、流入連通管（66）によって互いに接続され、流入連通管（66）には、上記第３圧縮機（空調側圧縮機）（13c）の吸入冷媒量と上記第１圧縮機（冷却側圧縮機）（13a）の吸入冷媒量を調整可能な圧力調整弁（流量調整弁）（66）が設けられている。
【００４９】
また、吸入配管（55）は、流出側が第１流出分岐管（第１吸入分岐管）（55c）と第２流出分岐管（第２吸入分岐管）（55d）と第３流出分岐管（第３吸入分岐管）（55e）とに分岐している。第１流出分岐管（55c）は上記第１圧縮機（13a）の吸入側端に接続され、第２流出分岐管（55d）は上記第２圧縮機（13b）の吸入側端に接続され、第３流出分岐管（55e）は上記第３圧縮機（13c）の吸入側端に接続されている。
【００５０】
上記吐出配管（56）は、流入側が第１流入分岐管（56a）と第２流入分岐管（56b）と第３流入分岐管（56c）とに分岐している。第１流入分岐管（56a）は上記第１圧縮機（13a）の吐出側端に接続され、第２流入分岐管（56b）は上記第２圧縮機（13b）の吐出側端に接続され、第３流入分岐管（56c）は上記第３圧縮機（13c）の吐出側端に接続されている。第１〜第３流入分岐管（56a，56b，56c）には、それぞれに逆止弁（CV1，CV2，CV3）が設けられている。これらの逆止弁（CV1，CV2，CV3）は、第１〜第３圧縮機（13a，13b，13c）から四路切換弁（17，18，19）へ向かう冷媒の流通を許容し、逆方向への冷媒の流通を阻止する。また、吐出配管（56）は、流出側が第１流出分岐管（56d）と第２流出分岐管（56e）と第３流出分岐管（56f）とに分岐している。第１流出分岐管（56d）は第１四路切換弁（17）の第１ポート（P1）に接続され、第２流出分岐管（56e）は第２四路切換弁（18）の第１ポート（P1）に接続され、第３流出分岐管（56f）は第３四路切換弁（19）の第１ポート（P1）に接続されている。
【００５１】
上記油分離器（16）は、吐出配管（56）の中途部に設けられている。油分離器（16）は、第１〜第３圧縮機（13a，13b，13c）から吐出される冷媒に混じった潤滑油を分離し、該潤滑油を第１〜第３圧縮機（13a，13b，13c）に返送する。具体的には、油分離器（16）において冷媒から分離された潤滑油は、油分離器（16）に接続された油戻し配管（50）を介して後述するインジェクション配管（81）の流入端側に返送される。油戻し配管（50）は、流入側が３つに分岐し、各分岐管が油分離器（16）に接続されている。油戻し配管（50）には流量調整弁（48）が設けられている。
【００５２】
第１，第２及び第３四路切換弁（17，18，19）は、第１ポート（P1）が第３ポート（P3）に連通し且つ第２ポート（P2）が第４ポート（P4）に連通する第１状態（図１に実線で示す状態）と、第１ポート（P1）が第４ポート（P4）に連通し且つ第２ポート（P2）が第３ポート（P3）に連通する第２状態（図１に破線で示す状態）とに切り換わる。上記冷凍装置は、この第１，第２及び第３四路切換弁（17，18，19）の切換動作によって、様々な運転を行うことができる。
【００５３】
第１四路切換弁（第１切換弁）（17）の第１ポート（P1）には第１流出分岐管（56d）が接続されている。第１四路切換弁（17）の第２ポート（P2）は、第２流入分岐管（55b）の第１分岐管（55b1）に接続されている。第１四路切換弁（17）の第３ポート（P3）は、室外ガス配管（58）を介して室外熱交換器（12）のガス側端に接続されている。第１四路切換弁（17）の第４ポート（P4）は、開度調整可能な調整弁（3）が設けられた連絡配管（57）を介して第２四路切換弁（18）の第４ポート（P4）に接続されている。
【００５４】
第２四路切換弁（第２切換弁）（18）の第１ポート（P1）には第２流出分岐管（56e）が接続されている。第２四路切換弁（18）の第２ポート（P2）は、第２流入分岐管（55b）の第２分岐管（55b2）に接続されている。第２四路切換弁（18）の第３ポート（P3）は、第１ガス管（冷媒配管）（62）を介して第１ガス側閉鎖弁（71）に接続され、第２四路切換弁（18）の第４ポート（P4）は、上述したように、連絡配管（57）を介して第１四路切換弁（17）の第４ポート（P4）に接続されている。
【００５５】
第３四路切換弁（第３切換弁）（19）の第１ポート（P1）には第３流出分岐管（56f）が接続されている。第３四路切換弁（19）の第２ポート（P2）は、第１流入分岐管（55a）に接続されている。第３四路切換弁（19）の第３ポート（P3）は、室外第２ガス管（63）を介して第２ガス側閉鎖弁（73）に接続され、第３四路切換弁（19）の第４ポート（P4）は、開閉弁（64）と逆止弁（CV7）とが設けられた連絡配管（65）を介して、レシーバ（15）への冷媒流入管である後述の第２分岐管（79）に接続されている。
【００５６】
室外熱交換器（12）は、フィン・アンド・チューブ型の熱交換器であり、近傍に室外ファン（12a）が設けられている。この室外熱交換器（12）では、内部を流れる冷媒と室外ファン（12a）が送風する外気との間で熱交換が行われる。室外ファン（12a）は、室外回路（11）と共に室外ケーシング（10a）内に収容されている。
【００５７】
上記室外熱交換器（12）は、液側端が第１液管（59）を介して上記レシーバ（15）の頂部に接続されている。レシーバ（15）の底部は、第２液管（60）を介して液側閉鎖弁（72）に接続されている。第１液管（59）には室外膨張弁（14）が設けられている。室外膨張弁（14）は、開度が調節可能な電子膨張弁によって構成されている。第１液管（59）及び第２液管（60）には、それぞれ逆止弁（CV4，CV5）が設けられている。第１液管（59）の逆止弁（CV4）は、室外熱交換器（12）からレシーバ（15）の頂部へ向かう冷媒の流通を許容し、逆方向への冷媒の流通を阻止する。第２液管（60）の逆止弁（CV5）は、レシーバ（15）の底部から液側閉鎖弁（72）へ向かう冷媒の流通を許容し、逆方向への冷媒の流通を阻止する。
【００５８】
上記第１液管（59）と第２液管（60）との間には、バイパス管（61）が設けられている。該バイパス管（61）は、一端が第１液管（59）の逆止弁（CV4）の上流側に接続され、他端が第２液管（60）の逆止弁（CV5）の上流側に接続されている。バイパス管（61）には逆止弁が設けられ、室外熱交換器（12）へ向かう冷媒の流れを許容し、逆方向への冷媒の流れを禁止する。また、上記第２液管（60）には過冷却側熱交換器（76）が設けられている。
【００５９】
上記過冷却側熱交換器（76）は、高圧側流路（76a）と低圧側流路（76b）とを備えている。過冷却側熱交換器（76）は、高圧側流路（76a）及び低圧側流路（76b）を流れる冷媒同士が熱交換して高圧側流路（76a）の冷媒が過冷却されるように構成されている。低圧側流路（76b）は、第２液管（60）の逆止弁（CV5）の上流側と後述するインジェクション配管（81）の流入端とを接続する第１分岐管（77）の一部を構成している。第１分岐管（77）の低圧側流路（76b）の上流側には過冷却用膨張弁（78）が設けられている。過冷却用膨張弁（78）は、開度が調節可能な電子膨張弁で構成されている。
【００６０】
上記第２液管（60）の逆止弁（CV5）の下流側と第１液管（59）の逆止弁（CV4）の下流側との間には、第２分岐管（79）が設けられている。第２分岐管（79）には、逆止弁（CV6）が設けられている。逆止弁（CV6）は、第２液管（60）から第１液管（59）へ向かう冷媒の流通を許容し、逆方向への冷媒の流通を阻止する。
【００６１】
上記インジェクション配管（81）は、上述のように流入端が上記第１分岐管（77）に接続され、流出端は３つに分岐している。具体的には、インジェクション配管（81）の流出端は、第１〜第３インジェクション管（81a，81b，81c）に分岐している。各インジェクション管（81a，81b，81c）は、各圧縮機（13a，13b，13c）の中間圧の圧縮室に連通する中間圧ポートに接続されている。また、各インジェクション管（81a，81b，81c）には、それぞれ膨張弁（82a，82b，82c）が設けられている。各膨張弁（82a，82b，82c）は、開度可変の電子膨張弁によって構成されている。各インジェクション管（81a，81b，81c）は、過冷却側熱交換器（76）から各圧縮機（13a，13b，13c）の中間圧の圧縮室へガス冷媒を導入するインジェクション回路を構成している。このように各圧縮機（13a，13b，13c）の中間圧の圧縮室へガス冷媒を導入するシステムが所謂エコノマイザシステムとして構成されている。
【００６２】
上記室外回路（11）には、図示していないが、各種センサが設けられている。例えば、吐出配管（56）には、各圧縮機（13a，13b，13c）の吐出冷媒の温度を検出する吐出温度センサと、各圧縮機（13a，13b，13c）の吐出冷媒の圧力を検出する吐出圧力センサが設けられている。また、吸入配管（55）には、各圧縮機（13a，13b，13c）の吸入冷媒の圧力を検出する吸入圧力センサが設けられている。
【００６３】
室外熱交換器（12）の近傍には、室外の外気温度を検出する室外温度センサが設けられている。また、過冷却側熱交換器（76）の低圧側流路（76b）の下流側には、温度センサと圧力センサとが設けられている。また、第２流入分岐管（55b）や第１ガス管（62）には、温度センサが設けられている。
【００６４】
〈室内ユニット〉
室内ユニット（20）は、室内に設置され、上記室内回路（21）と、該室内回路（21）を収容する室内ケーシング（20a）とを有している。室内回路（21）は、ガス側端が第１ガス側連絡配管（51）に接続され、液側端が第１液側連絡配管（52）に接続されている。室内回路（21）には、ガス側端から順に、室内熱交換器（22）及び室内膨張弁（膨張機構）（23）が設けられている。室内熱交換器（22）は、クロスフィン式のフィン・アンド・チューブ型熱交換器によって構成され、近傍に室内ファン（22a）が設けられている。室内ファン（22a）は、室内回路（21）と共に室内ケーシング（20a）内に収容されている。室内熱交換器（22）では、内部を流れる冷媒と室内ファン（22a）が送風する室内空気との間で熱交換が行われる。また、室内熱交換器（22）の近傍には、図示していないが、室内空気の温度を検出する室内温度センサが設けられている。室内膨張弁（23）は、開度が調節可能な電子膨張弁によって構成されている。
【００６５】
〈冷蔵ユニット〉
第１及び第２冷蔵ユニット（30，40）は、上記冷蔵用回路（31，41）と、該冷蔵用回路（31，41）を収容する冷蔵庫（30a，40a）とをそれぞれ有している。
【００６６】
第１冷蔵ユニット（30）の第１冷蔵用回路（31）は、ガス側端が第２ガス側連絡配管（53）の第１分岐ガス管（53a）に接続され、液側端が第２液側連絡配管（54）の第１分岐液管（54a）に接続されている。第１冷蔵用回路（31）には、ガス側端から順に、第１冷蔵熱交換器（32）、庫内膨張弁（膨張機構）（33）及び電磁弁（34）が設けられている。第１冷蔵熱交換器（冷却側熱交換器）（32）は、クロスフィン式のフィン・アンド・チューブ型熱交換器によって構成され、近傍に庫内ファン（32a）が設けられている。庫内ファン（32a）は、第１冷蔵用回路（31）と共に冷蔵庫（30a）内に収容されている。第１冷蔵熱交換器（32）では、内部を流れる冷媒と庫内ファン（32a）が送風する冷蔵庫（30a）内の庫内空気との間で熱交換が行われる。また、第１冷蔵熱交換器（32）の近傍には、図示していないが、庫内空気の温度を検出する庫内温度センサが設けられている。庫内膨張弁（33）は、感温式膨張弁であって、感温筒が第１冷蔵熱交換器（32）のガス側に取り付けられている。庫内膨張弁（33）は、第１冷蔵熱交換器（32）が蒸発器として機能する際に、該第１冷蔵熱交換器（32）の出口側の冷媒温度に基づいて開度が調節される。
【００６７】
一方、第２冷蔵ユニット（40）の第２冷蔵用回路（41）は、ガス側端が第２ガス側連絡配管（53）の第２分岐ガス管（53b）に接続され、液側端が第２液側連絡配管（54）の第２分岐液管（54b）に接続されている。第２冷蔵用回路（41）には、ガス側端から順に、第２冷蔵熱交換器（42）、庫内膨張弁（膨張機構）（43）及び電磁弁（44）が設けられている。第２冷蔵熱交換器（冷却側熱交換器）（42）は、クロスフィン式のフィン・アンド・チューブ型熱交換器によって構成され、近傍に庫内ファン（42a）が設けられている。庫内ファン（42a）は、第２冷蔵用回路（41）と共に冷蔵庫（40a）内に収容されている。第２冷蔵熱交換器（42）では、内部を流れる冷媒と庫内ファン（42a）が送風する冷蔵庫（40a）内の庫内空気との間で熱交換が行われる。また、第２冷蔵熱交換器（42）の近傍には、図示していないが、庫内空気の温度を検出する庫内温度センサが設けられている。庫内膨張弁（43）は、感温式膨張弁であって、感温筒が第２冷蔵熱交換器（42）のガス側に取り付けられている。庫内膨張弁（43）は、第２冷蔵熱交換器（42）が蒸発器として機能する際に、該第２冷蔵熱交換器（42）の出口側の冷媒温度に基づいて開度が調節される。
【００６８】
〈コントローラ〉
コントローラ（100）は、冷媒の温度や圧力、室内、庫内及び室外の温度を検出する各種センサの検出値が入力され、その検出値に基づいて各種機器（各種弁や各種ファン等）の制御を行って冷凍装置（1）の運転（室内の空調運転と庫内の冷却運転）を制御するものである。また、本実施形態の冷媒回路（2）は、冷蔵熱交換器（32，42）に着霜した霜を逆サイクルのデフロスト運転で除去するように構成されており、コントローラ（100）は、そのデフロスト運転の制御も行う。
【００６９】
具体的には、上記コントローラ（100）は、上記空調系統回路（2a）が冷房運転を行っている状態で上記冷却系統回路（2b）のデフロスト運転を行うときには、空調負荷が所定値よりも小さいと、上記第１四路切換弁（17）を上記室外熱交換器（12）が上記圧縮機（13）の吸入側に接続される状態に切り換えることで該室外熱交換器（12）を蒸発器にして、デフロスト運転を実行することが可能に構成されている。
【００７０】
また、上記コントローラ（100）は、上記空調系統回路（2a）が冷房運転を行っている状態で上記冷却系統回路（2b）のデフロスト運転を行うときには、空調負荷の大きさを判断する前に、上記第１四路切換弁（17）を上記室外熱交換器（12）が上記圧縮機（13）の吸入側に接続される状態に切り換えることで該室外熱交換器（12）を蒸発器にして、デフロスト運転を実行することも可能に構成されている。
【００７１】
また、上記コントローラ（100）は、上記室外熱交換器（12）が凝縮器になっている状態で上記空調系統回路（2a）が暖房運転を行っているときに上記冷却系統回路（2b）のデフロスト運転を行う場合には、上記第１四路切換弁（17）を上記室外熱交換器（12）が上記圧縮機（13）の吸入側に接続される状態に切り換えることで該室外熱交換器（12）を蒸発器にして、デフロスト運転を実行することも可能に構成されている。
【００７２】
また、上記コントローラ（100）は、上記室外熱交換器（12）が凝縮器になっている状態で上記空調系統回路（2a）が暖房運転を行っているときに上記冷却系統回路（2b）のデフロスト運転を行う場合には、上記第１四路切換弁（17）を上記室外熱交換器（12）が上記圧縮機（13）の吸入側に接続される状態に保って該室外熱交換器（12）を蒸発器にしたままで、デフロスト運転を実行することも可能に構成されている。
【００７３】
−運転動作−
上記冷凍装置（1）では、上述のように、冷房冷却運転、第１暖房冷却運転、第２暖房冷却運転、第３暖房冷却運転の各運転モードが、切り換え機構（17，18，19）を切り換えることにより実行される。
【００７４】
〈冷房冷却運転〉
冷房冷却運転は、室内ユニット（20）の冷房と第１及び第２冷蔵ユニット（30，40）の冷却を行う運転であり、コントローラ（100）は、図２に示すように、第１及び第２四路切換弁（18，19）を第１状態に切り換え、室外膨張弁（14）を全開状態に制御し、第１及び第２冷蔵用回路（31，41）の電磁弁（34，44）を開放状態に制御し、室内膨張弁（23）の開度を適宜調節する。また、調整弁（3）と圧力調整弁（67）は全閉に制御される。
【００７５】
また、冷房冷却運転において、コントローラ（100）は、室内熱交換器（22）の蒸発温度と第１及び第２冷蔵熱交換器（32，42）の蒸発温度を求め、室内熱交換器（22）の蒸発温度が第１及び第２冷蔵熱交換器（32，42）の蒸発温度よりも所定値だけ高くなるように調整弁（3）の開度を制御する。
【００７６】
コントローラ（100）による各種機器及び弁の上記の制御により、冷媒回路（2）では以下のように冷媒が循環する。
【００７７】
第１〜第３圧縮機（13a，13b，13c）で圧縮された冷媒は、吐出配管（56）において合流してから油分離器（16）において潤滑油が分離され、第１四路切換弁（17）及び室外ガス配管（58）を通過して室外熱交換器（12）に流入する。室外熱交換器（12）では、冷媒が室外空気に放熱して凝縮する。室外熱交換器（12）で凝縮した液冷媒は、第１液管（59）を介してレシーバ（15）に流入し、該レシーバ（15）に貯留される。
【００７８】
レシーバ（15）に貯留された液冷媒は、レシーバ（15）から流出し、第２液管（60）を液側閉鎖弁（72）に向かって流れる。その際に、液冷媒は過冷却側熱交換器（76）を通過する。
【００７９】
高圧の液冷媒は、過冷却側熱交換器（76）の高圧側流路（76a）に流入する。一方、過冷却側熱交換器（76）の低圧側流路（76b）には高圧側流路（76a）を通過後に第２液管（60）から第１分岐管（77）に分岐して過冷却用膨張弁（78）で減圧された分流冷媒が流入する。低圧側流路（76b）を流れる分岐冷媒は、高圧側流路（76a）を流れる高圧の液冷媒と熱交換して蒸発する一方、高圧側流路（76a）の高圧の液冷媒は、低圧側流路（76b）の分岐冷媒に放熱することによって過冷却状態となる。このようにして過冷却状態となった液冷媒は、液側閉鎖弁（72）を通過して２つに分流し、一方は第２液側連絡配管（54）に流入し、他方は第１液側連絡配管（52）に流入する。
【００８０】
一方、蒸発した低圧側流路（76b）の冷媒は、インジェクション配管（81）に流入する。なお、過冷却用膨張弁（78）の開度は、例えば、上記インジェクション配管（81）を流れる冷媒の過熱度が所望の過熱度（例えば５℃）となるように調整される。また、上記インジェクション配管（81）を流れる冷媒の過熱度は、図示していないインジェクション用の温度センサ及び圧力センサの検出値から導出される。なお、インジェクション配管（81）を流れる冷媒の流れは図示していない（以下の各運転モードも同様）。
【００８１】
第２液側連絡配管（54）に流入した液冷媒は、２つに分岐して第１分岐液管（54a）及び第２分岐液管（54b）のそれぞれに流入する。第１分岐液管（54a）に流入した液冷媒は、第１冷蔵ユニット（30）の第１冷蔵用回路（31）に流入する一方、第２分岐液管（54b）に流入した液冷媒は、第２冷蔵ユニット（40）の第２冷蔵用回路（41）に流入する。各冷蔵用回路（31，41）に流入した液冷媒は、各庫内膨張弁（33，43）で減圧された後、第１及び第２冷蔵熱交換器（32，42）に流入する。第１及び第２冷蔵熱交換器（32，42）では、冷媒が庫内空気から吸熱して蒸発する。その結果、庫内空気が冷却される。各第１及び第２冷蔵熱交換器（32，42）で蒸発した冷媒は、各冷蔵用回路（31，41）から第２ガス側連絡配管（53）の第１分岐ガス管（53a）及び第２分岐ガス管（53b）にそれぞれ流入し、その後に合流する。第２ガス側連絡配管（53）において合流した冷媒は、第２ガス側閉鎖弁（73）を通過した後、吸入配管（55）の第１流入分岐管（55a）に流入する。
【００８２】
一方、第１液側連絡配管（52）に流入した液冷媒は、室内膨張弁（23）で減圧された後、室内熱交換器（22）に流入する。室内熱交換器（22）では、冷媒が室内空気から吸熱して蒸発する。その結果、室内空気が冷却される。なお、上記室内膨張弁（23）の開度は、室内温度センサ（22b）の検出値や室内の設定温度に基づいて所定開度に調節される。例えば、室内膨張弁（23）の開度は、室内温度センサ（22b）の検出値が所望の温度（例えば、２０℃）となるように調節される。室内熱交換器（22）で蒸発した冷媒は、第１ガス側連絡配管（51）、第１ガス管（62）及び第２四路切換弁（18）を通過して吸入配管（55）の第２流入分岐管（55b）に流入する。
【００８３】
上述のようにして吸入配管（55）の第１流入分岐管（55a）及び第２流入分岐管（55b）のそれぞれに流入した冷媒は、合流した後、第１流出分岐管（55c）、第２流出分岐管（55d）及び第３流出分岐管（55e）にそれぞれ分流する。そして、第１〜第３流出分岐管（55c，55d，55e）に流入した冷媒は、それぞれ対応する第１〜第３圧縮機（13a，13b，13c）に吸入されて圧縮される（３台の圧縮機をすべて運転している場合）。
【００８４】
一方、インジェクション配管（81）に流入した冷媒は、第１〜第３インジェクション管（81a，81b，81c）に分岐した後、対応する第１〜第３圧縮機（13a，13b，13c）の中間圧の圧縮室に導入される。これにより、第１〜第３圧縮機（13a，13b，13c）の吐出ガス温度が低下する。また、油分離器（16）において第１〜第３圧縮機（13a，13b，13c）の吐出冷媒から分離された潤滑油は、油戻し配管（50）を通ってインジェクション配管（81）に返送される。
【００８５】
以上のように、上記冷房冷却運転では、冷媒回路（2）において上述のような冷媒の循環を繰り返すことにより、室内を冷房すると同時に、冷蔵庫の庫内を冷却する。
【００８６】
なお、この冷房冷却運転時には、第１及び第２冷蔵用回路（31，41）の電磁弁（34，44）を閉鎖すると室内の空調のみを行う冷房運転が可能であり、室内回路（21）の室内膨張弁（23）の開度を全閉にすると庫内の冷却のみを行う冷却運転が可能であるが、これらの運転動作の詳細は省略する。
【００８７】
〈第１暖房冷却運転〉
第１暖房冷却運転は、室外熱交換器（12）を用いずに、室内ユニット（20）の暖房と第１及び第２冷蔵ユニット（30，40）の冷却を行う運転であり、コントローラ（100）は、図３に示すように、第１四路切換弁（17）を第２状態に切り換えると共に第２四路切換弁（18）を第２状態に切り換え、室外膨張弁（14）を全閉状態に制御し、第１及び第２冷蔵用回路（31，41）の電磁弁（34，44）を開放状態に制御し、室内膨張弁（23）の開度を全開状態に制御する。
【００８８】
また、上記第１暖房冷却運転において、コントローラ（100）は、調整弁（3）の開度を全閉状態に制御し、圧力調整弁（67）の開度を全開に制御する。
【００８９】
コントローラ（100）による各種機器及び弁の上記の制御により、冷媒回路（2）では以下のように冷媒が循環する。
【００９０】
第１〜第３圧縮機（13a，13b，13c）で圧縮された冷媒は、吐出配管（56）において合流してから油分離器（16）において潤滑油が分離され、第２四路切換弁（18）、第１ガス管（62）及び第１ガス側連絡配管（51）を通過して室内熱交換器（22）に流入する。室内熱交換器（22）では、冷媒が室内空気に放熱して凝縮する。室内熱交換器（22）で凝縮した液冷媒は、第１液側連絡配管（52）から第２液側連絡配管（54）へ流入する。
【００９１】
第２液側連絡配管（54）に流入した液冷媒は、２つに分流して第１分岐液管（54a）及び第２分岐液管（54b）のそれぞれに流入する。第１分岐液管（54a）に流入した液冷媒は、第１冷蔵ユニット（30）の第１冷蔵用回路（31）に流入する一方、第２分岐液管（54b）に流入した液冷媒は、第２冷蔵ユニット（40）の第２冷蔵用回路（41）に流入する。各冷蔵用回路（31，41）に流入した液冷媒は、各庫内膨張弁（33，43）で減圧された後、第１及び第２冷蔵熱交換器（32，42）に流入する。第１及び第２冷蔵熱交換器（32，42）では、冷媒が庫内空気から吸熱して蒸発する。その結果、庫内空気が冷却される。各第１及び第２冷蔵熱交換器（32，42）で蒸発した冷媒は、各冷蔵用回路（31，41）から第２ガス側連絡配管（53）の第１分岐ガス管（53a）及び第２分岐ガス管（53b）にそれぞれ流入し、その後に合流する。第２ガス側連絡配管（53）において合流した冷媒は、第２ガス側閉鎖弁（73）を通過した後、吸入配管（55）の第１流入分岐管（55a）に流入する。
【００９２】
上述のようにして吸入配管（55）の第１流入分岐管（55a）に流入した冷媒は、第１流出分岐管（55c）、第２流出分岐管（55d）及び第３流出分岐管（55e）にそれぞれ分岐する。そして、第１〜第３流出分岐管（55c，55d，55e）に流入した冷媒は、それぞれ対応する第１〜第３圧縮機（13a，13b，13c）に吸入されて圧縮される。
【００９３】
以上のように、上記第１暖房冷却運転では、冷媒回路（2）において上述のような冷媒の循環を繰り返すことにより、室内を暖房すると同時に、冷蔵庫の庫内を冷却する。つまり、第１及び第２冷蔵ユニット（30，40）の冷却能力（蒸発熱量）と、室内ユニット（20）の暖房能力（凝縮熱量）とがバランスし、１００％の熱回収が行われる。
【００９４】
〈第２暖房冷却運転〉
第２暖房冷却運転は、第１暖房冷却運転の際に室内ユニット（20）の暖房能力が余る場合に、室外熱交換器（12）を凝縮器として用いて室内ユニット（20）の暖房と第１及び第２冷蔵ユニット（30，40）の冷却とを行う運転である。この第２暖房冷却運転時に、コントローラ（100）は、図４に示すように、第１四路切換弁（17）を第１状態、第２四路切換弁（18）を第２状態に切り換え、室外膨張弁（14）を全開状態に制御し、第１及び第２冷蔵用回路（31，41）の電磁弁（34，44）を開放状態に制御し、室内膨張弁（23）の開度を全開状態に制御する。また、この第２暖房冷却運転において、コントローラ（100）は、圧力調整弁（67）を全開に制御する。
【００９５】
コントローラ（100）による各種機器及び弁の制御により、冷媒回路（2）では以下のように冷媒が循環する。
【００９６】
第１〜第３圧縮機（13a，13b，13c）で圧縮された冷媒は、吐出配管（56）において合流してから油分離器（16）において潤滑油が分離された後、２つに分流し、一方は第１四路切換弁（17）、及び室外ガス配管（58）を介して室外熱交換器（12）に流入し、他方は第２四路切換弁（18）、第１ガス管（62）及び第１ガス側連絡配管（51）を通過して室内熱交換器（22）に流入する。
【００９７】
室内熱交換器（22）及び室外熱交換器（12）では、冷媒がそれぞれ室内空気及び室外空気に放熱して凝縮する。室内熱交換器（22）で凝縮した液冷媒は、第１液側連絡配管（52）から第２液側連絡配管（54）へ流入する。
【００９８】
室外熱交換器（12）で凝縮した液冷媒は、レシーバ（15）に流入し、該レシーバ（15）に貯留される。レシーバ（15）に貯留された液冷媒は、レシーバ（15）から流出し、第２液管（60）を液側閉鎖弁（72）に向かって流れる。その際に、液冷媒は過冷却側熱交換器（76）を通過する。
【００９９】
高圧の液冷媒は、過冷却側熱交換器（76）の高圧側流路（76a）に流入する。一方、過冷却側熱交換器（76）の低圧側流路（76b）には高圧側流路（76a）を通過後に第２液管（60）から第１分岐管（77）に分岐して過冷却用膨張弁（78）で減圧された分岐冷媒が流入する。低圧側流路（76b）を流れる分岐冷媒は、高圧側流路（76a）を流れる高圧の液冷媒と熱交換して蒸発する一方、高圧側流路（76a）の高圧の液冷媒は、低圧側流路（76b）の分岐冷媒に放熱することによって過冷却状態となる。このようにして過冷却状態となった液冷媒は、液側閉鎖弁（72）を通過して第２液側連絡配管（54）に流入する。
【０１００】
一方、蒸発した低圧側流路（76b）の冷媒は、インジェクション配管（81）に流入する。なお、過冷却用膨張弁（78）の開度は、例えば、上記インジェクション配管（81）を流れる冷媒の過熱度が所望の過熱度（例えば５℃）となるように調整される。また、上記インジェクション配管（81）を流れる冷媒の過熱度は、図示していないインジェクション用の温度センサ及び圧力センサの検出値から導出される。
【０１０１】
第２液側連絡配管（54）で合流した液冷媒は、２つに分岐して第１分岐液管（54a）及び第２分岐液管（54b）のそれぞれに流入する。第１分岐液管（54a）に流入した液冷媒は、第１冷蔵ユニット（30）の第１冷蔵用回路（31）に流入する一方、第２分岐液管（54b）に流入した液冷媒は、第２冷蔵ユニット（40）の第２冷蔵用回路（41）に流入する。各冷蔵用回路（31，41）に流入した液冷媒は、各庫内膨張弁（33，43）で減圧された後、第１及び第２冷蔵熱交換器（32，42）に流入する。第１及び第２冷蔵熱交換器（32，42）では、冷媒が庫内空気から吸熱して蒸発する。その結果、庫内空気が冷却される。各第１及び第２冷蔵熱交換器（32，42）で蒸発した冷媒は、各冷蔵用回路（31，41）から第２ガス側連絡配管（53）の第１分岐ガス管（53a）及び第２分岐ガス管（53b）にそれぞれ流入し、その後に合流する。第２ガス側連絡配管（53）において合流した冷媒は、第２ガス側閉鎖弁（73）を通過した後、吸入配管（55）の第１流入分岐管（55a）に流入する。
【０１０２】
上述のようにして吸入配管（55）の第１流入分岐管（55a）に流入した冷媒は、第１流出分岐管（55c）、第２流出分岐管（55d）及び第３流出分岐管（55e）にそれぞれ分岐する。そして、第１〜第３流出分岐管（55c，55d，55e）に流入した冷媒は、それぞれ対応する第１〜第３圧縮機（13a，13b，13c）に吸入されて圧縮される。
【０１０３】
一方、インジェクション配管（81）に流入した冷媒は、第１〜第３インジェクション管（81a，81b，81c）に分岐した後、対応する第１〜第３圧縮機（13a，13b，13c）の中間圧の圧縮室に導入される。これにより、第１〜第３圧縮機（13a，13b，13c）の吐出ガス温度が低下する。また、油分離器（16）において第１〜第３圧縮機（13a，13b，13c）の吐出冷媒から分離された潤滑油は、油戻し配管（50）を通ってインジェクション配管（81）に返送される。
【０１０４】
以上のように、上記第２暖房冷却運転では、冷媒回路（2）において上述のような冷媒の循環を繰り返すことにより、室内を暖房すると同時に、冷蔵庫の庫内を冷却する。つまり、第１及び第２冷蔵ユニット（30，40）の冷却能力（蒸発熱量）と、室内ユニット（20）の暖房能力（凝縮熱量）とがバランスせず、余る凝縮熱のみを室外熱交換器（12）で室外に放出する。
【０１０５】
〈第３暖房冷却運転〉
第３暖房冷却運転は、第１暖房冷却運転の際に室内ユニット（20）の暖房能力が不足する場合に、室外熱交換器（12）を蒸発器として用いて室内ユニット（20）の暖房と第１及び第２冷蔵ユニット（30，40）の冷却を行う運転である。この第３暖房冷却運転時に、コントローラ（100）は、図５に示すように、第１四路切換弁（18）を第２状態に切り換えると共に第２四路切換弁（19）を第２状態に切り換え、室外膨張弁（14）の開度を適宜調整し、第１及び第２冷蔵用回路（31，41）の電磁弁（34，44）を開放状態に制御し、室内膨張弁（23）の開度を全開状態に制御する。
【０１０６】
また、上記第３暖房冷却運転において、コントローラ（100）は、調整弁（3）及び圧力調整弁（67）の開度を全閉状態に制御する。
【０１０７】
コントローラ（100）による各種機器及び弁の上記の制御により、冷媒回路（2）では以下のように冷媒が循環する。
【０１０８】
第１〜第３圧縮機（13a，13b，13c）で圧縮された冷媒は、吐出配管（56）において合流してから油分離器（16）において潤滑油が分離された後、第２四路切換弁（18）、第１ガス管（62）及び第１ガス側連絡配管（51）を通過して室内熱交換器（22）に流入する。室内熱交換器（22）では、冷媒が室内空気に放熱して凝縮する。室内熱交換器（22）で凝縮した液冷媒は、第１液側連絡配管（52）を通過してから分流し、一方が第２分岐管（79）及び第１液管（59）を介してレシーバ（15）に流入して該レシーバ（15）に貯留され、他方が第２液側連絡配管（54）へ流入する。
【０１０９】
レシーバ（15）に貯留された液冷媒は、レシーバ（15）から流出し、第２液管（60）を液側閉鎖弁（72）に向かって流れる。その際に、液冷媒は過冷却側熱交換器（76）を通過する。
【０１１０】
高圧の液冷媒は、過冷却側熱交換器（76）の高圧側流路（76a）に流入する。一方、過冷却側熱交換器（76）の低圧側流路（76b）には高圧側流路（76a）を通過後に第２液管（60）から第１分岐管（77）に分岐して過冷却用膨張弁（78）で減圧された分岐冷媒が流入する。低圧側流路（76b）を流れる分岐冷媒は、高圧側流路（76a）を流れる高圧の液冷媒と熱交換して蒸発する一方、高圧側流路（76a）の高圧の液冷媒は、低圧側流路（76b）の分岐冷媒に放熱することによって過冷却状態となる。このようにして過冷却状態となった液冷媒はバイパス管（61）に流入する。
【０１１１】
蒸発した低圧側流路（76b）の冷媒は、インジェクション配管（81）に流入する。なお、過冷却用膨張弁（78）の開度は、例えば、上記インジェクション配管（81）を流れる冷媒の過熱度が所望の過熱度（例えば５℃）となるように調整される。また、上記インジェクション配管（81）を流れる冷媒の過熱度は、図示していないインジェクション用の温度センサ及び圧力センサの検出値から導出される。
【０１１２】
第２液側連絡配管（54）に流入した液冷媒は、２つに分流して第１分岐液管（54a）及び第２分岐液管（54b）のそれぞれに流入する。第１分岐液管（54a）に流入した液冷媒は、第１冷蔵ユニット（30）の第１冷蔵用回路（31）に流入する一方、第２分岐液管（54b）に流入した液冷媒は、第２冷蔵ユニット（40）の第２冷蔵用回路（41）に流入する。各冷蔵用回路（31，41）に流入した液冷媒は、各庫内膨張弁（33，43）で減圧された後、第１及び第２冷蔵熱交換器（32，42）に流入する。第１及び第２冷蔵熱交換器（32，42）では、冷媒が庫内空気から吸熱して蒸発する。その結果、庫内空気が冷却される。各第１及び第２冷蔵熱交換器（32，42）で蒸発した冷媒は、各冷蔵用回路（31，41）から第２ガス側連絡配管（53）の第１分岐ガス管（53a）及び第２分岐ガス管（53b）にそれぞれ流入し、その後に合流する。第２ガス側連絡配管（53）において合流した冷媒は、第２ガス側閉鎖弁（73）を通過した後、吸入配管（55）の第１流入分岐管（55a）に流入する。第１流入分岐管（55a）に流入した冷媒は、第１流出分岐管（55c）及び第２流出分岐管（55d）を通り、第１，第２圧縮機（13a，13b）に吸入されて圧縮される。
【０１１３】
一方、バイパス管（61）に流入した液冷媒は、室外膨張弁（14）で減圧された後、室外熱交換器（12）に流入する。室外熱交換器（12）では、冷媒が室外空気から吸熱して蒸発する。室外熱交換器（12）で蒸発した冷媒は、室外ガス配管（58）及び第１四路切換弁（17）を介して吸入配管（55）の第２流入分岐管（55b）に流入する。第２流入分岐管（55b）に流入した冷媒は、第３流出分岐管（55e）を通り、第３圧縮機（13c）に吸入されて圧縮される。
【０１１４】
なお、インジェクション配管（81）に流入した冷媒は、第１〜第３インジェクション管（81a，81b，81c）に分岐した後、対応する第１〜第３圧縮機（13a，13b，13c）の中間圧の圧縮室に導入される。これにより、第１〜第３圧縮機（13a，13b，13c）の吐出ガス温度が低下する。また、油分離器（16）において第１〜第３圧縮機（13a，13b，13c）の吐出冷媒から分離された潤滑油は、油戻し配管（50）を通ってインジェクション配管（81）に返送される。
【０１１５】
以上のように、上記第３暖房冷却運転では、冷媒回路（2）において上述のような冷媒の循環を繰り返すことにより、室内を暖房すると同時に、冷蔵庫の庫内を冷却する。つまり、第１及び第２冷蔵ユニット（30，40）の冷却能力（蒸発熱量）と、室内ユニット（20）の暖房能力（凝縮熱量）とがバランスせず、不足する蒸発熱を室外熱交換器（12）において吸収する。
【０１１６】
〈運転の切り換え〉
本実施形態では、第１四路切換弁（17）と第２四路切換弁（18）を、互いに独立して切り換えできるように冷媒回路（2）に設けている。このことにより、本実施形態では、暖房のサーモオフ（休止運転）から冷房に切り換える際、室外熱交換器を蒸発器とする暖房運転の状態で空調サーモオフとなる際、あるいは暖房のサーモオフ時に冷媒回収をする際などに、室内へ温風が吹き出されるのを抑制するようにしている。そこで、これらの切り換え動作について、図９〜図１１のフローチャートを用いて説明する。なお、以下の制御の説明における各四路切換弁の状態に関し、第１状態を図面では「OFF」と示し、第２状態を図面では「ON」と示す。このことは、後述のデフロスト制御においても同様である。
【０１１７】
＜暖房サーモオフから冷房への切り換え＞
暖房のサーモオフ時は、例えば図４において室内ユニット（20）の室内膨張弁（23）が全閉となって冷媒が室内熱交換器（22）を流れず、室内ファン（22a）が停止している。この状態で図９に示すフローチャートの動作が開始されると、ステップST１において、コントローラ（100）により、ユーザーがリモコン（リモートコントローラ）を操作して冷房切り換え要求をしたかどうかが判別される。判別結果が「YES」の場合、ステップST２において第２四路切換弁（18）が第１状態に切り換わる。冷房への切り換え要求があると室内膨張弁（23）の開度が調整され、室内ファン（22a）が回転するので、冷媒回路の状態は図２に示す状態となり、室内がすぐに冷房される状態になる。したがって、室内への温風の吹き出しが抑制される。
【０１１８】
また、ステップST２において冷房への切換要求がないと判断されると、第２四路切換弁（18）の状態を維持し、切り換え要求があるまで、そのままの運転状態が継続される。
【０１１９】
＜暖房（室外熱交換器が蒸発器）から暖房サーモオフへの切り換え＞
室外熱交換器を蒸発器とする暖房運転の状態で空調サーモオフになる際は、図５において室内熱交換器の冷媒の流通が停止する。このときの制御は、図１０に基づいて行われる。このフローチャートの動作が開始されると、ステップST１１において、設定温度と室内温度に基づいて、コントローラ（100）が暖房サーモオフ要求の有無を判別する。判別結果が「YES」の場合は、ステップST１２において、第１四路切換弁（17）が第２状態から第１状態に切り換えられる。この結果、室外熱交換器（12）が圧縮機（13）の吐出側に連通するので、室外熱交換器（12）が蒸発器として機能する状態から凝縮器として機能する状態に切り換わる。それに伴って室外膨張弁（14）を全開にするなどの制御が行われる。
【０１２０】
この結果、室内熱交換器（22）が停止しても、冷媒は、室外熱交換器（12）で凝縮し、冷蔵熱交換器（32，42）で蒸発する状態で冷媒回路（2）を循環する。この制御を行えば、従来とは違って凝縮器が存在しなくなって熱的なバランスが取れなくなる状態が生じない。したがって、室内熱交換器（22）が不必要に凝縮器となることがなく、室内への温風の吹き出しが抑制される。
【０１２１】
＜暖房サーモオフから冷媒回収への切り換え＞
暖房のサーモオフ時に、蒸発器に液冷媒が溜まって圧縮機で冷媒不足が生じると、冷媒回収の動作が行われる。このときは、図４において室内ユニット（20）の室内膨張弁（23）が全閉となって冷媒が室内熱交換器（22）を流れず、室内ファン（22a）が停止している状態で、図１１のフローチャートの動作が行われる。このフローチャートの動作が開始されると、ステップST２１において冷媒回収要求の有無をコントローラ（100）が判別する。判別結果が「YES」の場合は、ステップST２２において室外膨張弁（14）の開度が調整される。そうすると、圧縮機（13）から室外熱交換器（12）と室内熱交換器（22）へ供給される冷媒が少ない状態で、冷蔵熱交換器（32，42）から冷媒が圧縮機（13）へ吸入されるので、結果として圧縮機（13）へ冷媒が回収されることになる。このとき、図３の第１暖房冷却運転を行わなくても冷媒を回収することができ、暖房サーモオフを継続できるので、室内への温風の吹き出しを抑えられる。
【０１２２】
〈デフロスト運転〉
＜冷房時の冷蔵熱交換器のデフロト動作１＞
次に、図２の冷房冷却運転時に冷蔵熱交換器のデフロストをする第１の動作について、図１２のフローチャートを用いて説明する。
【０１２３】
図１２のフローチャートの動作が開始されると、ステップST３１において、運転モードが冷房運転であるかどうかと、且つ第１，第２冷蔵熱交換器（32，42）に対してデフロスト要求があるかどうかが判別され、判別結果が「YES」であるとステップST３２に進む。ステップST３２では、まず、第３四路切換弁（19）が第１状態（OFF）から第２状態（ON）に切り換えられて図６の状態になる。そしてステップST３３では、冷蔵熱交換器（32，42）で逆サイクルデフロストが行われ、圧縮機（13）は、冷媒回路の高圧圧力が目標高圧ＨＰ（例えばＴｃ（凝縮温度）＝３０℃）になるように制御される。
【０１２４】
次に、ステップST３４では、逆サイクルデフロスト中に室内の空調負荷が小さくなったかどうかが判別され、判別結果が「YES」であるとステップST３５に進んで第１四路切換弁（17）が第１状態から第２状態に切り換えられ、室内熱交換器（22）に加えて室外熱交換器（12）も蒸発器として機能する図７の状態となる（これに伴い、室外膨張弁（14）の制御なども行われる）。この状態で、ステップST３６で室内負荷が大きくなったかどうかが判別され、判別結果が「YES」であれば、ステップST３７において室外膨張弁（14）の開度を小さくし、室内熱交換器（22）へ流れる冷媒量を増やす操作が行われる。
【０１２５】
その後、ステップST３８においてデフロスト動作の終了条件が満たされているかどうかの判別が行われ、判別結果が「NO」であれば、ステップST３４以降の動作が繰り返される。また、ステップST３８でデフロスト動作が終了したと判断されると、このフローチャートの動作を終了して通常運転の制御に戻る。
【０１２６】
一方、ステップST３１，ステップST３４，ステップST３６のそれぞれで判別結果が「NO」であった場合は、ステップST３８に進んでデフロスト動作の終了条件が満たされているかどうかが判別され、終了していないと判断された場合はステップST３４へ戻り、終了していると判断された場合は通常制御へ戻る。
【０１２７】
＜冷房時の冷蔵熱交換器のデフロト動作２＞
図２の冷房冷却運転時に冷蔵熱交換器のデフロストをする第２の動作について、図１３のフローチャートを用いて説明する。
【０１２８】
図１３のフローチャートの動作が開始されると、ステップST４１において、運転状態が冷房運転であり、且つ第１，第２冷蔵熱交換器（32，42）に対してデフロスト要求があるかどうかが判別され、判別結果が「YES」であるとステップST４２，ステップST４３に進む。ステップST４２では、第３四路切換弁（19）が第１状態（OFF）から第２状態（ON）に切り換えられ、ステップST４３では、第１四路切換弁（17）が第１状態（OFF）から第２状態（ON）に切り換えられ、室内熱交換器（22）に加えて室外熱交換器（12）も蒸発器として機能する図７の状態となる（これに伴い、室外膨張弁（14）の制御なども行われる）。そしてステップST４４では、冷蔵熱交換器（32，42）で逆サイクルデフロストが行われ、圧縮機（13）は、冷媒回路の高圧圧力が目標高圧ＨＰ（Ｔｃ（凝縮温度）＝３０℃）になるよう制御される。
【０１２９】
次に、ステップST４５で室内負荷が大きくなったかどうかが判別され、判別結果が「YES」であれば、ステップST４６において室外膨張弁（14）の開度を小さくし、室内熱交換器（22）へ流れる冷媒量を増やす操作が行われる。
【０１３０】
その後、ステップST４７においてデフロスト動作の終了条件が満たされているかどうかの判別が行われ、判別結果が「NO」であれば、ステップST４５以降の動作が繰り返される。また、ステップST４７でデフロスト動作が終了したと判断されると、このフローチャートの動作を終了して通常運転の制御に戻る。
【０１３１】
一方、ステップST４１，ステップST４５のそれぞれで判別結果が「NO」であった場合は、ステップST４７に進んでデフロスト動作の終了条件が満たされているかどうかが判別され、終了していないと判断された場合はステップST４５へ戻り、終了していると判断された場合は通常制御へ戻る。
【０１３２】
＜第２暖房冷却運転時の冷蔵熱交換器のデフロト動作＞
次に、図４の第２暖房冷却運転時に冷蔵熱交換器のデフロストをする動作について、図１４のフローチャートを用いて説明する。
【０１３３】
図１４のフローチャートの動作が開始されると、ステップST５１において、運転状態が第２暖房冷却運転であるかどうかと、且つ第１，第２冷蔵熱交換器（32，42）に対してデフロスト要求があるかどうかが判別され、判別結果が「YES」であるとステップST５２２，ステップST５３に進む。ステップST５２では、第１四路切換弁（17）が第１状態（OFF）から第２状態（ON）に切り換えられ、ステップST５３では、第３四路切換弁（19）が第１状態（OFF）から第２状態（ON）に切り換えられ、室外熱交換器（12）が蒸発器として機能し、冷蔵熱交換器（32，42）が凝縮器として機能する図８の状態となる（これに伴い、室外膨張弁（14）の制御なども行われる）。そしてステップST５４では、冷蔵熱交換器（32，42）で逆サイクルデフロストが行われ、圧縮機（13）は、冷媒回路の高圧圧力が目標高圧ＨＰ（Ｔｃ（凝縮温度）＝３０℃）になるよう制御される。
【０１３４】
＜第２暖房冷却運転時の冷蔵用熱効果機のデフロスト動作＞
次に、図５の第３暖房冷却運転時に冷蔵熱交換器のデフロストをする動作について、図１５のフローチャートを用いて説明する。
【０１３５】
図１５のフローチャートの動作が開始されると、ステップST６１において、運転状態が第３暖房冷却運転であるかどうかと、且つ第１，第２冷蔵熱交換器（32，42）に対してデフロスト要求があるかどうかが判別され、判別結果が「YES」であるとステップST６２２に進む。ステップST６２では、第３四路切換弁（19）が第１状態（OFF）から第２状態（ON）に切り換えられ、室外熱交換器（12）が蒸発器として機能し、冷蔵熱交換器（32，42）が凝縮器として機能する図８の状態となる（これに伴い、室外膨張弁（14）の制御なども行われる）。そしてステップST６３では、冷蔵熱交換器（32，42）で逆サイクルデフロストが行われ、圧縮機（13）は、冷媒回路の高圧圧力が目標高圧ＨＰ（Ｔｃ（凝縮温度）＝３０℃）になるよう制御される。
【０１３６】
−実施形態の効果−
本実施形態によれば、第１切換弁（17）と第２切換弁（18）がそれぞれの接続状態を互いに独立して切り換わるようにしたことにより、空調側熱交換器（22）が凝縮器になる状態にしなくても運転を任意に切り換えることができるので、切り換え時に室内への温風の吹き出しが生じず、室内の快適性が損なわれるのを抑制できる。
【０１３７】
例えば暖房のサーモオフ（休止運転）から冷房に切り換える際に、上記四路切換弁のうち、空調側の圧縮機（13）の吸入に近い側にある四路切換弁を先に切り換えないと遠い側の四路切換弁に差圧が付かなくなるような問題が生じない。したがって、室内熱交換器（22）が不必要に凝縮器になる状態が発生しないので、室内へ不用意に温風が吹き出されるのを抑制できる。
【０１３８】
また、室外熱交換器を蒸発器とする暖房運転の状態で空調サーモオフになるときでも、上記第１切換弁（17）と第２切換弁（18）を適宜切り換えることにより、室内へ温風が吹き出されるのを抑制できる。
【０１３９】
さらに、暖房のサーモオフ時に、蒸発器に液冷媒が溜まって圧縮機（13）で冷媒不足が生じても、上記第１切換弁（17）と第２切換弁（18）を適宜切り換えることにより、室内に温風が吹き出されてしまうのを抑制できる。
【０１４０】
また、上記実施形態によれば、上記第１切換弁（17）及び上記第２切換弁（18）の両方に、吐出側接続ポート（P1）と吸入側接続ポート（P2）と熱交換器接続ポート（P3）とを有する四路切換弁を用いて、上記切り換え機構（17，18，19）を容易に実現できる。
【０１４１】
また、上記実施形態によれば、上記切り換え機構（17，18，19）を用いて冷却側熱交換器（32，42）の逆サイクルデフロストを行うことが可能になる。従来の空調系統回路（2a）と冷却系統回路（2b）を有する冷凍装置では、冷却側熱交換器（32，42）のデフロストはヒータによるデフロストかオフサイクルデフロスト（冷媒を流さないデフロスト）を行っていたが、本実施形態によればヒータを用いなくてよいので装置構成を簡素化でき、オフサイクルデフロストでなく逆サイクルデフロストを行うことでデフロスト時間を短縮できる。
【０１４２】
特に、上記実施形態によれば、空調系統回路（2a）が冷房運転を行っている状態で空調負荷が所定値よりも小さいときに、熱源側熱交換器（12）を蒸発器にすることにより、冷却系統回路（2b）の逆サイクルのデフロスト運転を容易に行うことができる。また、空調系統回路（2a）が冷房運転を行っている状態では、空調負荷の大きさにかかわらず、熱源側熱交換器（12）を蒸発器にすることにより、冷却系統回路（2b）の逆サイクルのデフロスト運転を容易に行うことができる。
【０１４３】
また、上記実施形態によれば、熱源側熱交換器（12）が凝縮器になって空調系統回路（2a）が暖房運転を行っている状態では、熱源側熱交換器（12）を蒸発器に切り換えることにより、冷却系統回路（2b）の逆サイクルのデフロスト運転を容易に行うことができる。また、熱源側熱交換器（12）が蒸発器になって空調系統回路（2a）が暖房運転を行っている状態では、熱源側熱交換器（12）を蒸発器に維持することにより、冷却系統回路（2b）の逆サイクルのデフロスト運転を容易に行うことができる。
【０１４４】
《その他の実施形態》
上記実施形態については、以下のような構成としてもよい。
【０１４５】
例えば、上記実施形態では、第１四路切換弁（17）と第２四路切換弁（18）を切り換える際に、これらの四路切換弁（17，18）に液冷媒がたまって切り換え動作が行われにくくなることが考えられるが、そのような場合には、調整弁（3）を開いて液冷媒を低圧側へ抜くことができるので、四路切換弁（17，18）の動作を円滑に行うようにすることが可能である。
【０１４６】
また、これらの四路切換弁（17，18）は、連絡配管（57）の接続されたポートが閉塞された３方弁で代用してもよい。
【０１４７】
また、上記実施形態では、各運転において、第１〜第３圧縮機（13a，13b，13c）の全てが運転状態となっているが、運転台数は適宜変更してもよい。
【０１４８】
また、上記実施形態では、第２冷蔵ユニット（40）が、第１冷蔵ユニット（30）の蒸発温度よりも低い温度で冷媒が蒸発する冷凍ユニットとして構成されていてもよいし、冷蔵ユニットと冷凍ユニットの台数を適宜変更してもよい。また、空調側熱交換器である室内熱交換器を有する室内ユニットの台数も上記各実施形態に限らず、適宜変更してもよい。
【０１４９】
なお、以上の実施形態は、本質的に好ましい例示であって、本発明、その適用物、あるいはその用途の範囲を制限することを意図するものではない。
【産業上の利用可能性】
【０１５０】
以上説明したように、本発明は、室内を空調する空調側熱交換器と冷蔵庫や冷凍庫のような冷却庫の庫内を冷却する冷却側熱交換器とを備えた冷凍装置について有用である。
【符号の説明】
【０１５１】
1   冷凍装置
2   冷媒回路
2a    空調系統回路
2b    冷却系統回路
12    室外熱交換器（熱源側熱交換器）
13    圧縮機
14    室外膨張弁（膨張機構）
17    第１四路切換弁（第１切換弁，切り換え機構）
18    第２四路切換弁（第２切換弁，切り換え機構）
19    第３四路切換弁（第３切換弁，切り換え機構）
22    室内熱交換器（空調側熱交換器）
23    室内膨張弁（膨張機構）
30    冷蔵ユニット（冷却庫）
32    冷蔵熱交換器（冷却側熱交換器）
33    庫内膨張弁
40    冷蔵ユニット（冷却庫）
42    冷蔵熱交換器（冷却側熱交換器）
43    庫内膨張弁
55    吸入配管
55c   第１吸入分岐管
55d   第２吸入分岐管
55e   第３吸入分岐管
56    吐出配管
56d   第１吐出分岐管
56e   第２吐出分岐管
56f   第３吐出分岐管
58    冷媒配管（室外ガス管）
62    第１ガス管（冷媒配管）
P1    吐出側接続ポート
P2    吸入側接続ポート
P3    熱交換器接続ポート
100   コントローラ（制御器）
【図１】
2018173197.tif 000003
【図２】
2018173197.tif 000004
【図３】
2018173197.tif 000005
【図４】
2018173197.tif 000006
【図５】
2018173197.tif 000007
【図６】
2018173197.tif 000008
【図７】
2018173197.tif 000009
【図８】
2018173197.tif 000010
【図９】
2018173197.tif 000011
【図１０】
2018173197.tif 000012
【図１１】
2018173197.tif 000013
【図１２】
2018173197.tif 000014
【図１３】
2018173197.tif 000015
【図１４】
2018173197.tif 000016
【図１５】
2018173197.tif 000017